(57)【要約】【課題】電子機器の操作部を構成するための可動接点体に関し、電子機器への磁気による悪影響を及ぼさないものを提供する。【解決手段】消磁した下方開口のドーム状をした弾性薄板金属製の可動接点１１と、上記可動接点１１の上面を、下面に備えた粘着層２Ａにより粘着保持した絶縁樹脂製のベースシート２とで可動接点体１３を構成するようにしたことにより、電子機器への磁気による悪影響を及ぼさない可動接点体およびそれを用いたパネルスイッチが装着された電子機器を提供することができる。【選択図】図１
2006120396.tif 000002
【特許請求の範囲】
【請求項１】
下方開口のドーム状をした弾性薄板金属製の可動接点と、上記可動接点を保持した絶縁樹脂製のベースシートとからなり、上記可動接点が消磁されたものであることを特徴とする可動接点体。
【請求項２】
請求項１記載の可動接点体を用い、可動接点に対応した外側固定接点と中央固定接点の一対が配置された配線基板上に、上記可動接点の外周下端が上記外側固定接点上に載置されるように上記可動接点体を重ね合わせて構成したパネルスイッチが装着された電子機器。
【発明の詳細な説明】
【技術分野】
【０００１】
本発明は、各種電子機器の操作部に用いられる可動接点体およびそれを用いたパネルスイッチが装着された電子機器に関するものである。
【背景技術】
【０００２】
近年、携帯電話機やＰＤＡ等の各種電子機器は、小型化や多機能化などの進展がめざましく、それら電子機器の操作部として複数個の押圧スイッチが所定の配列状態に配置されて構成されたパネルスイッチの周辺部分も、各種搭載部品の集積密度が高くなっており、それらの配置自由度の向上が求められるようになっている。
【０００３】
そのようなパネルスイッチを構成する時に用いられる従来の可動接点体およびそれを用いたパネルスイッチが装着された電子機器について、図４〜図６を用いて説明する。
【０００４】
図４は従来の可動接点体の断面図、図５は同分解斜視図であり、同図において、１は下方開口のドーム状をした弾性金属薄板製の可動接点、２は絶縁樹脂フィルムからなり下面に粘着層２Ａを有するベースシートである。このベースシート２の下面には、上記可動接点１が複数個、所定の配列状態で配置され、各可動接点１の上面が上記粘着層２Ａにより粘着保持されることにより、複数個の押圧スイッチが構成可能な可動接点体３として構成されている。
【０００５】
なお、通常は、各可動接点１の下面側を保護するために、上記構成の各可動接点１付きのベースシート２下面には、ベースシート２の粘着層２Ａを用いて、上面に離型処理が施された絶縁性のフィルムからなるセパレータが貼り付けられており、その使用時に上記セパレータを剥がして露出したベースシート２の粘着層２Ａで所定箇所に貼付け装着するようにしている。
【０００６】
そして、図６は上記従来の可動接点体を用いて構成したパネルスイッチを装着した電子機器の要部断面図であり、同図において、４は平板状の配線基板で、その上面には、各可動接点１に対応する中央固定接点５Ａと外側固定接点５Ｂが１組となって、各々の可動接点１の位置に対応して複数組配設されている。なお、図示していないが、それぞれの固定接点からは、他回路への接続用電極が導出されている。
【０００７】
そして、各可動接点１の外周下端が、対応する各外側固定接点５Ｂ上に載り、ドーム状の頂点部下面が対応する各中央固定接点５Ａと対峙するように、セパレータが剥がされた当該可動接点体３は、端部に設けられた位置決め用の小孔４Ａとベースシート２の小孔２Ｂを基準として配線基板４に重ね合わされ、ベースシート２の露出した粘着層２Ａで配線基板４上に貼付けされ、複数個の押圧スイッチが配列されたパネルスイッチ７として構成される。
【０００８】
そして、パネルスイッチ７は、電子機器の外装ケース８内に位置決め配置され、そのパネルスイッチ７の可動接点１それぞれの位置に対応して備えられた操作ボタン９が、外装ケース８のボタン孔から上下動可能に突出して、外方から押圧操作可能な操作部として構成される。
【０００９】
上記電子機器の操作部の動作としては、まず、操作ボタン９を押し下げて操作ボタン９により可動接点１の頂点部上面を押圧すると、可動接点１が節度感を伴いながら弾性反転し、その頂点部下面が中央固定接点５Ａに接触することにより、可動接点１を介して外側固定接点５Ｂと中央固定接点５Ａとが電気的に接続されて押圧スイッチがＯＮ状態となる。
【００１０】
また、操作ボタン９への押圧力を除くと、可動接点１の弾性復元力により頂点部下面が中央固定接点５から離れると共に、操作ボタン９も押し戻されて、元の図６のＯＦＦ状態に復帰するものであった。
【００１１】
なお、この出願の発明に関連する先行技術文献情報としては、例えば、特許文献１が知られている。
【特許文献１】特開２００３−０７７３６８号公報
【発明の開示】
【発明が解決しようとする課題】
【００１２】
しかしながら、上記従来の可動接点体およびそれを用いたパネルスイッチが装着された電子機器においては、携帯電話機などに代表されるように、機器の小型化、多機能化に伴い、それに搭載される各部品の集積密度が高くなり、装着位置や装着容積の制限等が生じている。
【００１３】
一方、上記電子機器の操作部を構成する可動接点体３の可動接点１の材料としては、ＳＵＳ３０１などのステンレス製の薄板が多く用いられ、このものは取り扱いその他で磁化することもあり、上記機器内における各部品の集積密度が高くなるにつれて、例えば、上記携帯電話機等で開閉判定用や方位確認用に搭載されている磁気センサに対し、上記磁化した可動接点による影響の配慮も必要になりつつあるという課題があった。
【００１４】
本発明は、このような従来の課題を解決するものであり、電子機器への磁気による悪影響を及ぼさない可動接点体およびそれを用いたパネルスイッチが装着された電子機器を提供することを目的とする。
【課題を解決するための手段】
【００１５】
上記目的を達成するために本発明は、以下の構成を有するものである。
【００１６】
本発明の請求項１に記載の発明は、下方開口のドーム状をした弾性薄板金属製の可動接点と、上記可動接点を保持した絶縁樹脂製のベースシートとからなり、上記可動接点が消磁されたものであることを特徴とする可動接点体としたものであり、可動接点自身が消磁されているため、電子機器への磁気による悪影響を及ぼさず節度のある操作感触が得られるものにできるという作用を有する。
【００１７】
請求項２に記載の発明は、請求項１記載の可動接点体を用い、可動接点に対応した外側固定接点と中央固定接点の一対が配置された配線基板上に、上記可動接点の外周下端が上記外側固定接点上に載置されるように上記可動接点体を重ね合わせて構成したパネルスイッチが装着された電子機器としたものであり、消磁した可動接点を用いて構成したパネルスイッチを搭載しているため、他の機能用に配された磁気センサ等への影響も殆ど考慮することなく、両者を近接配置することもでき、機器の小型薄型化等に寄与できるという作用を有する。
【発明の効果】
【００１８】
以上のように本発明によれば、電子機器への磁気による悪影響を及ぼさない可動接点体およびそれを用いたパネルスイッチが装着された電子機器を提供することができるという有利な効果が得られる。
【発明を実施するための最良の形態】
【００１９】
以下、本発明の実施の形態について、図１〜図３を用いて説明する。
【００２０】
なお、従来の技術の項で説明した構成と同一構成の部分には同一符号を付して、詳細な説明を簡略化する。
【００２１】
（実施の形態）
図１は、本発明の一実施の形態による可動接点体の断面図であり、同図において、２は、外形を定型に加工された可撓性を有する絶縁性のベースシートで、その下面全体には粘着層２Ａが備えられている。
【００２２】
そして、その粘着層２Ａによって、下方開口のドーム状に形成された可動接点１１が、複数個互いに独立状態で各上面部を粘着保持されて可動接点体１３が構成されている。
【００２３】
この可動接点１１は、ＳＵＳ３０１などのステンレス製の薄板が絞り加工されて下方開口のドーム形状に形成されていると共に、消磁処理を施したものを用いている。
【００２４】
なお、上記可動接点１１付きのベースシート２の下面には、可動接点１１の下面を保護するためのセパレータが、可動接点１１をベースシート２とで挟むようにベースシート２下面の粘着層２Ａによって貼り付けられること等は、従来の技術の場合と同じである。
【００２５】
また、その使用時には、上記セパレータを剥がし、露出したベースシート２の粘着層２Ａで、図２の電子機器の要部断面図に示すように、可動接点１１に対応する固定接点５Ａ、５Ｂが配設された配線基板４上に、ベースシート２下面の粘着層２Ａで貼り付け装着してパネルスイッチ１５として搭載される。
【００２６】
このとき、各可動接点１１のドーム状の頂点部下面が、対応する各中央固定接点５Ａと対峙するように、各可動接点１１の外周下端が、対応する各外側固定接点５Ｂ上に載せられ、その周囲部分の粘着層２Ａが、配線基板４の上面に粘着されることにより、個々の押圧スイッチは構成される。
【００２７】
そして、上記構成の個々の押圧スイッチを有するパネルスイッチ１５は、機器の外装ケース８内に位置決めして配されると共に、各可動接点１１それぞれの位置に対応して上下動可能に備えられた操作ボタン９等と組み合わせられて、外方から押圧操作可能な操作部として構成される。
【００２８】
その動作は、操作ボタン９を押し下げて可動接点１１の頂点部上面を押圧すると、可動接点１１が節度感を伴いながら弾性反転し、可動接点１１を介して外側固定接点５Ｂと中央固定接点５Ａとが電気的に接続されたスイッチＯＮ状態となる。そして、操作ボタン９への押圧力を除くと、可動接点１１は自らの弾性復元力により元の下方開口のドーム形状に復元して操作ボタン９を押し戻すと共に、その頂点部下面が中央固定接点５Ａから離れて、元の図２のスイッチＯＦＦ状態に戻るものである。
【００２９】
そして、上記構成のパネルスイッチ１５は、例えば図３に示すような、折り畳み式の携帯電話機２１などのテンキー部２２等として搭載される。
【００３０】
この携帯電話機２１は、液晶などからなる表示部３１Ａを備えた第一筐体３１と、テンキー部２２などを備えた第二筐体３２が、ヒンジ３３を介して開閉自在に構成されており、その閉じられた状態で、表示部３１Ａやテンキー部２２などは内面側に収納状態となるように構成されている。
【００３１】
なお、表示部３１Ａなどは、フレキシブル配線板２５を介して第二筐体３２内に収容さ
れている上記配線基板４（図３には図示せず）に接続されている。
【００３２】
そして、当該携帯電話機２１の使用時には、使用者は、その閉じられた状態から第一および第二筐体３１および３２を所定角度に開き、テンキー部２２などへの押圧操作を行なって電話をかけたりメールの送受信などを行うものである。
【００３３】
そして、通常、上記第一および第二筐体３１および３２が閉じられた状態は、非操作状態であるため、その閉状態を検出して省電力モードに切り換える処理等が施されることが多い。
【００３４】
その検出手段の構成の一事例としては、第一筐体３１のヒンジ３３が配された側とは逆の端部位置に配された磁気発生素子４１に対し、閉じられた状態で上記磁気発生素子４１の位置に対向状態となる第二筐体３２の位置に磁気センサ４２を配置したものがある。
【００３５】
つまり、この構成のものは、上記第一および第二筐体３１および３２が閉じられた状態では、磁気発生素子４１からの磁気を磁気センサ４２で検出し所定出力が得られる構成になされ、その所定出力に基づいて上記省電力モードへの移行処理などがなされるようになっている。
【００３６】
このとき、テンキー部２２は、第二筐体３２上面の略全面で配設されることも多く、テンキー部２２の配置領域と磁気センサ４２の配置箇所が近接するようにもなるが、テンキー部２２の各押圧スイッチを構成している可動接点１１は、消磁されているものを用いているため、磁気センサ４２での誤検知などの発生要因が低減できる。また、近接的に配置される可動接点１１からの不要な磁気がなくなるため、磁気センサ４２の検知レベルをおとすことも可能である。
【００３７】
以上のように当該実施の形態によれば、操作時に節度感が得られる薄型かつ軽量な操作部を構成できると共に、その構成部材となる可動接点体１３の各可動接点１１自身として消磁したものを用いているため、他の機能用に配された磁気センサ４２等への影響も殆ど考慮することなく、両者を近接配置することも可能であるため、機器の小型薄型化等にも寄与することができる。
【産業上の利用可能性】
【００３８】
本発明による可動接点体およびそれを用いたパネルスイッチが装着された電子機器は、電子機器への磁気による悪影響を及ぼさないものにできるという特徴を有し、各種電子機器の構成時等に有用である。
【図面の簡単な説明】
【００３９】
【図１】本発明の一実施の形態による可動接点体の断面図
【図２】同可動接点体を用いて構成したパネルスイッチを装着した電子機器の要部断面図
【図３】同電子機器である折り畳み式の携帯電話機の部分断面の外観斜視図
【図４】従来の可動接点体の断面図
【図５】同分解斜視図
【図６】同可動接点体を用いて構成したパネルスイッチを装着した電子機器の要部断面図
【符号の説明】
【００４０】
２  ベースシート
２Ａ  粘着層
４  配線基板
５Ａ  中央固定接点
５Ｂ  外側固定接点
８  外装ケース
９  操作ボタン
１１  可動接点
１３  可動接点体
１５  パネルスイッチ
２１  携帯電話機
２２  テンキー部
２５  フレキシブル配線板
３１  第一筐体
３１Ａ  表示部
３２  第二筐体
３３  ヒンジ
４１  磁気発生素子
４２  磁気センサ
【図１】
2006120396.tif 000003
【図２】
2006120396.tif 000004
【図３】
2006120396.tif 000005
【図４】
2006120396.tif 000006
【図５】
2006120396.tif 000007
【図６】
2006120396.tif 000008